(57)【要約】【課題】アドレス期間と維持期間との混合方式で階調性を表現するパネル駆動方法及びその装置を提供する。【解決手段】パネルのセルを複数のグループに区分し、そのセルをパネルに具備されたアドレス電極、走査電極及び共通電極によってアドレスして維持放電する。１つのフレーム期間を複数のサブフィールドに分割し、具現される階調度を相異なって割当て、セルの可視輝度の階調性を決定し、その少なくとも１つは各グループのセルに対してはアドレス期間と維持期間とを順次に設定するものの、各グループのセルに対するアドレス動作を行った後、維持期間を設定し、終了した後、アドレス動作を行って、何れか一グループのセルに対して維持期間を設定する間、以前にアドレス期間が設定された他のグループのセルに対しても選択的に維持期間を設定し、順次アドレスされる間、共通電極に印加されるバイアス電圧が、各グループ別アドレス区間で相異なることを特徴とするパネル駆動方法。【選択図】図６
2005062863.tif 000002
【特許請求の範囲】
【請求項１】
パネルのセルを複数のグループに区分し、各グループに属したセルを前記パネルに具備されたアドレス電極、走査電極及び共通電極によってアドレスして維持放電するパネル駆動方法において、
１つのフレーム期間を複数のサブフィールドに分割し、前記各サブフィールドによって具現される階調度を相異なって割当て、前記各サブフィールドを選択的に動作させてセルの可視輝度の階調性を決定し、
前記サブフィールドのうち少なくとも１つは、
各グループのセルに対しては、アドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、
前記各グループが順次にアドレスされる間、前記共通電極に印加されるバイアス電圧が、各グループ別アドレス区間で相異なることを特徴とするパネル駆動方法。
【請求項２】
各グループ別に異なって印加されるバイアス電圧のサイズにおいて、
以降アドレス区間のバイアス電圧が、以前アドレス区間のバイアス電圧より高いことを特徴とする請求項１に記載のパネル駆動方法。
【請求項３】
あらゆるグループに属したセルに対して、一定期間の間共通的に維持期間を設定する共通区間をさらに含むことを特徴とする請求項１に記載のパネル駆動方法。
【請求項４】
各グループのセルが所定の階調度を満足するように、各グループのセルに対して選択的に追加の維持期間を設定する補正区間をさらに含むことを特徴とする請求項１に記載のパネル駆動方法。
【請求項５】
前記各グループが順次にアドレスされる間、前記以降グループのアドレス電極に印加されるアドレス電圧が、以前グループのアドレス電極に印加されるアドレス電圧より高いことを特徴とする請求項１に記載のパネル駆動方法。
【請求項６】
前記各グループが順次にアドレスされる間、前記以降グループの走査電極に印加される走査パルスのローレベル電位が、以前グループの走査電極に印加される走査パルスのローレベル電位より低いことを特徴とする請求項１に記載のパネル駆動方法。
【請求項７】
パネルのセルを複数のグループに区分し、各グループに属したセルを前記パネルに具備されたアドレス電極、走査電極及び共通電極によってアドレスして維持放電するパネル駆動方法において、
１つのフレーム期間を複数のサブフィールドに分割し、前記各サブフィールドによって具現される階調度を相異なって割当て、前記各サブフィールドを選択的に動作させてセルの可視輝度の階調性を決定し、
前記各グループはそれぞれ別個の共通電極によって駆動され、
前記サブフィールドのうち少なくとも１つは、
各グループのセルに対してはアドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、
前記各グループが順次にアドレスされる間、前記それぞれの共通電極に印加されるバイアス電圧が各グループ別アドレス区間で相異なることを特徴とするパネル駆動方法。
【請求項８】
各グループ別アドレス区間にそれぞれの共通電極に異なって印加されるバイアス電圧のサイズにおいて、
以降アドレス区間のバイアス電圧が、以前アドレス区間のバイアス電圧より高いことを特徴とする請求項７に記載のパネル駆動方法。
【請求項９】
前記各アドレス区間において、
実際にアドレスが行われるグループの共通電極にのみバイアス電圧が印加されることを特徴とする請求項７に記載のパネル駆動方法。
【請求項１０】
あらゆるグループに属したセルに対して、一定期間の間共通的に維持期間を設定する共通区間をさらに含むことを特徴とする請求項７に記載のパネル駆動方法。
【請求項１１】
各グループのセルが所定の階調度を満足するように、各グループのセルに対して選択的に追加の維持期間を設定する補正区間をさらに含むことを特徴とする請求項７に記載のパネル駆動方法。
【請求項１２】
前記各グループが順次にアドレスされる間、前記以降グループのアドレス電極に印加されるアドレス電圧が、以前グループのアドレス電極に印加されるアドレス電圧より高いことを特徴とする請求項７に記載のパネル駆動方法。
【請求項１３】
前記各グループが順次にアドレスされる間、前記以降グループの走査電極に印加される走査パルスのローレベル電位が、以前グループの走査電極に印加される走査パルスのローレベル電位より低いことを特徴とする請求項７に記載のパネル駆動方法。
【請求項１４】
パネルのセルを複数のグループに区分し、各グループに属したセルを前記パネルに具備されたアドレス電極、走査電極及び共通電極によってアドレスして維持放電するパネル駆動方法において、
１つのフレーム期間を複数のサブフィールドに分割し、前記各サブフィールドによって具現される階調度を相異なって割当て、前記各サブフィールドを選択的に動作させてセルの可視輝度の階調性を決定し、
前記各グループはそれぞれ別個の共通電極によって駆動され、
前記サブフィールドのうち少なくとも１つは、
各グループのセルに対しては、アドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、
前記各グループが順次にアドレスされる間、前記それぞれの共通電極に印加されるバイアス電圧が各共通電極別に相異なることを特徴とするパネル駆動方法。
【請求項１５】
各共通電極に印加されるバイアス電圧のサイズにおいて、
後でアドレスされるグループの共通電極に印加されるバイアス電圧が、以前にアドレスされたグループの共通電極に印加されるバイアス電圧より高いことを特徴とする請求項１４に記載のパネル駆動方法。
【請求項１６】
あらゆるグループに属したセルに対して一定期間の間共通的に維持期間を設定する共通区間をさらに含むことを特徴とする請求項１４に記載のパネル駆動方法。
【請求項１７】
各グループのセルが所定の階調度を満足するように、各グループのセルに対して選択的に追加の維持期間を設定する補正区間をさらに含むことを特徴とする請求項１４に記載のパネル駆動方法。
【請求項１８】
前記各グループが順次にアドレスされる間、前記以降グループのアドレス電極に印加されるアドレス電圧が、以前グループのアドレス電極に印加されるアドレス電圧より高いことを特徴とする請求項１４に記載のパネル駆動方法。
【請求項１９】
前記各グループが順次にアドレスされる間、前記以降グループの走査電極に印加される走査パルスのローレベル電位が、以前グループの走査電極に印加される走査パルスのローレベル電位より低いことを特徴とする請求項１４に記載のパネル駆動方法。
【請求項２０】
複数の走査電極グループと、それに対応する１つまたはそれ以上の共通電極を具備するパネルを駆動してアドレスして維持放電するパネル駆動装置において、
１つのフレーム期間を複数のサブフィールドに分割するサブフィールド処理部と、
前記サブフィールド別に印加される、パネルの画素のうちターンオンされる画素とそうでない画素とを選択的にアドレスするアドレス信号及び前記アドレスされた画素を維持放電させる維持信号を発生させる信号合成部と、
前記信号合成部のアドレス信号及び維持信号によって、前記サブフィールドを選択的に動作させながら複数のグループに区分されたセルを各グループ別に駆動して、画素の可視輝度の階調性を決定する電極駆動部とを含み、
前記信号合成部は、
各グループに属した画素に対してアドレス期間と維持期間とを順次に設定するものの、ある１つのグループの画素に対してアドレス期間を設定する間、他のグループの画素は休止状態にあり、ある１つのグループの画素に対してアドレス期間を設定した後、維持期間を設定する間には既に以前にアドレス期間が設定された他のグループの画素に対しても選択的に維持期間を設定するようにアドレス信号及び維持信号を発生し、
前記電極駆動部は、
前記各グループが順次にアドレスされる間、前記各アドレスグループ別に異なるバイアス電圧を印加することを特徴とするパネル駆動装置。
【請求項２１】
前記信号合成部は、
あらゆるグループに属した画素に対するアドレス期間を何れも設定した後で、あらゆるグループに属した画素に対して、一定期間の間共通的に維持期間を設定するための維持信号をさらに発生させることを特徴とする請求項２０に記載のパネル駆動装置。
【請求項２２】
前記信号合成部は、
各グループの画素が所定の階調度を満足するように。各グループの画素に対して選択的に追加の維持期間を設定するための維持信号をさらに発生させることを特徴とする請求項２０に記載のパネル駆動装置。
【請求項２３】
請求項１ないし１９のうち何れか１項に記載の方法をコンピュータで実行させるためのプログラムを書き込んだコンピュータで読み取り可能な書き込み媒体。
【発明の詳細な説明】
【技術分野】
【０００１】
本発明は、プラズマディスプレイパネル（ＰＤＰ：Ｐｌａｓｍａ Ｄｉｓｐｌａｙ Ｐａｎｎｅｌ）のようにアドレス期間と維持期間とが順次に設定されて画像を表示する表示装置で階調性を具現する方法及びその装置に関する。
【背景技術】
【０００２】
ＰＤＰの電極駆動方式については、特許文献１に開示されている。パネル駆動タイミングはリセット（初期化）期間、アドレス（書き込み）期間、維持（表示）期間に分けられる。リセット期間はセルにアドレス動作を円滑に行わせるために各セルの状態を初期化させ、アドレス期間はパネルでターンオンされるセルとそうでないセルとを選択し、ターンオンされるセルに壁電荷をローディング動作を行い、維持期間はアドレスされたセルに実際に画像を表示するための放電を行う。
【０００３】
前記特許文献１では、フィールド−サブフィールド構造によって階調性を具現するために、アドレス期間と維持期間とを時間的に分離独立して駆動する方式を採択している。言い換えれば、第１の走査電極から最後の走査電極までのアドレス動作を完了した後、何れのセルに対して同時に維持動作を行わせたのである。かかる駆動方式によれば、ある一走査ラインにアドレス動作が行われた後、その走査ラインでの維持放電動作は、最後の走査ラインのアドレス動作が完了した後ではじめて行われる。したがって、従来方式によって階調性を具現する場合、アドレス動作がおきたセルで維持放電動作がおきるまで相当な時間的なギャップが発生し、維持放電動作が不安定になりうる問題点がある。
【０００４】
【特許文献１】米国特許第５,５４１,６１８号公報
【発明の開示】
【発明が解決しようとする課題】
【０００５】
本発明が解決しようとする技術的課題は、階調性を具現するにおいて、アドレス期間と維持期間間の時間的なギャップを最小化して円滑な維持放電を起すパネル駆動方法及びその装置を提供することである。
【課題を解決するための手段】
【０００６】
前記の技術的課題を解決するための本発明によるパネル駆動方法は、パネルのセルを複数のグループに区分し、各グループに属したセルを前記パネルに具備されたアドレス電極、走査電極及び共通電極によってアドレスして維持放電するパネル駆動方法であって、１つのフレーム期間を複数のサブフィールドに分割し、前記各サブフィールドによって具現される階調度を相異なって割当て、前記各サブフィールドを選択的に動作させてセルの可視輝度の階調性を決定し、前記サブフィールドのうち少なくとも１つは各グループのセルに対してはアドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、前記各グループが順次にアドレスされる間、前記共通電極に印加されるバイアス電圧が、各グループ別アドレス区間で相異なることを特徴とする。ここで、各グループ別に異なって印加されるバイアス電圧のサイズにおいて、以降のアドレス区間のバイアス電圧が、以前アドレス区間のバイアス電圧より高いことが望ましい。また、前記パネル駆動方法は、あらゆるグループに属したセルに対して一定期間、共通的に維持期間を設定する共通区間をさらに含みうる。また、前記パネル駆動方法は、各グループのセルが所定の階調度を満足するように各グループのセルに対して選択的に追加の維持期間を設定する補正区間をさらに含みうる。
【０００７】
前記の技術的課題を解決するための本発明による他のパネル駆動方法は、パネルのセルを複数のグループに区分し、各グループに属したセルを前記パネルに具備されたアドレス電極、走査電極及び共通電極によってアドレスして維持放電するパネル駆動方法であって、１つのフレーム期間を複数のサブフィールドに分割し、前記各サブフィールドによって具現される階調度を相異なって割当て、前記各サブフィールドを選択的に動作させてセルの可視輝度の階調性を決定し、前記各グループはそれぞれ別個の共通電極によって駆動され、前記サブフィールドのうち少なくとも１つは各グループのセルに対するアドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、前記各グループが順次にアドレスされる間、前記それぞれの共通電極に印加されるバイアス電圧が各グループ別アドレス区間で相異なることを特徴とする。ここで、各グループ別アドレス区間にそれぞれの共通電極に異なって印加されるバイアス電圧のサイズにおいて、以降のアドレス区間のバイアス電圧が、以前アドレス区間のバイアス電圧より高いことが望ましい。また、前記各アドレス区間において、実際にアドレスが行われるグループの共通電極にのみバイアス電圧が印加されることが望ましい。また、前記パネル駆動方法は、あらゆるグループに属したセルに対して一定期間共通的に維持期間を設定する共通区間をさらに含みうる。また、前記パネル駆動方法は、各グループのセルが所定の階調度を満足するように各グループのセルに対して選択的に追加の維持期間を設定する補正区間をさらに含みうる。
【０００８】
前記の技術的課題を解決するための本発明によるさらに他のパネル駆動方法は、パネルのセルを複数のグループに区分し、各グループに属したセルを前記パネルに具備されたアドレス電極、走査電極及び共通電極によってアドレスして維持放電するパネル駆動方法であって、１つのフレーム期間を複数のサブフィールドに分割し、前記各サブフィールドによって具現される階調度を相異なって割当て、前記各サブフィールドを選択的に動作させてセルの可視輝度の階調性を決定し、前記各グループはそれぞれ別個の共通電極によって駆動され、前記サブフィールドのうち少なくとも１つは各グループのセルに対してはアドレス期間と維持期間とを順次に設定するものの、各グループのセルに対するアドレス動作を行った後、前記アドレスされたグループのセルに対して維持期間を設定し、前記維持期間が終了した後、他のグループのセルに対してアドレス動作を行って、ある１つのグループのセルに対して維持期間を設定する間、既に以前にアドレス期間が設定された他のグループのセルに対しても選択的に維持期間を設定し、前記各グループが順次にアドレスされる間、前記それぞれの共通電極に印加されるバイアス電圧が各共通電極別に相異なることを特徴とする。ここで、各共通電極に印加されるバイアス電圧のサイズにおいて、後でアドレスされるグループの共通電極に印加されるバイアス電圧が、以前にアドレスされたグループの共通電極に印加されるバイアス電圧より高いことが望ましい。また、前記パネル駆動方法は、あらゆるグループに属したセルに対して一定期間共通的に維持期間を設定する共通区間をさらに含みうる。また、前記パネル駆動方法は、各グループのセルが所定の階調度を満足するように各グループのセルに対して選択的に追加の維持期間を設定する補正区間をさらに含みうる。
【０００９】
前記の他の技術的課題を解決するための本発明によるパネル駆動装置は、複数の走査電極グループと、それに対応する１つまたはそれ以上の共通電極を具備するパネルを駆動してアドレスし、維持放電するパネル駆動装置であって、１つのフレーム期間を複数のサブフィールドに分割するサブフィールド処理部と、前記サブフィールド別に印加される、パネルの画素のうちターンオンされる画素とそうでない画素とを選択的にアドレスするアドレス信号及び前記アドレスされた画素を維持放電させる維持信号を発生させる信号合成部と、前記信号合成部のアドレス信号及び維持信号によって、前記サブフィールドを選択的に動作させながら複数のグループに区分されたセルを各グループ別に駆動して、画素の可視輝度の階調性を決定する電極駆動部とを含み、前記信号合成部は、各グループに属した画素に対してアドレス期間と維持期間とを順次に設定するものの、ある１つのグループの画素に対してアドレス期間を設定する間、他のグループの画素は休止状態にあり、ある１つのグループの画素に対してアドレス期間を設定した後、維持期間を設定する間には既に以前にアドレス期間が設定された他のグループの画素に対しても選択的に維持期間を設定するようにアドレス信号及び維持信号を発生し、
【００１０】
前記電極駆動部は、前記各グループが順次にアドレスされる間、前記各アドレスグループ別に他のバイアス電圧を印加することを特徴とする。
ここで、前記信号合成部は、あらゆるグループに属した画素に対するアドレス期間を全て設定した後であらゆるグループに属した画素に対して一定期間共通的に維持期間を設定するための維持信号がさらに発生できる。
また、前記信号合成部は、各グループの画素が所定の階調度を満足するように各グループの画素に対して選択的に追加の維持期間を設定するための維持信号がさらに発生しうる。
【発明の効果】
【００１１】
本発明によるパネル駆動方法は、フレーム−サブフィールド方式で階調性を表現することにおいて、パネルのセルを複数のグループに区分し、各サブフィールド期間の間、アドレス期間と維持期間とが各グループで連続して設定される。したがって、各セルでアドレス動作があった後、短時間に維持放電動作を起すことによって、アドレス期間に印加される走査パルスとアドレスパルスの幅をより狭くしても安定した維持放電が得られる。それにより、全体セルをアドレスするのにかかる期間が縮まるので、１ ＴＶフィールド時間の間に維持放電により多くの時間を割り当てられることを意味する。したがって、画面の輝度を向上させられ、より多くの走査ラインが大きいパネルに対しても高階調の装置が具現できる。また、本発明によれば、各サブフィールドに割当てられた階調度によって各サブフィールドを最も適した方式で駆動できる融通性を提供する。
【００１２】
かかる混合方式のパネル駆動方法を行うにあたり、１つのサブフィールド内で各グループのアドレス区間に共通電極に印加されるバイアス電圧を異ならせる。これによって、１回のリセット動作により形成されたセル内部の壁電荷状態が、アドレス動作と維持放電動作とが交互に行われる間、劣化されることが補完でき、各グループ別に安定したアドレス動作が行える。
【発明を実施するための最良の形態】
【００１３】
以下、本発明の望ましい実施形態によるパネル駆動方法及び装置の構成と動作とを図面を参照して詳細に説明する。本発明の実施形態ではＡＣ（Ａｌｔｅｒｎａｔｉｎｇ Ｃｕｒｒｅｎｔ）型ＰＤＰの駆動方式を中心で説明する。
図１は、本発明が適用されうるＡＣ型ＰＤＰの一部斜視図である。第１ガラス基板１００上には、誘電体層１０２及び保護膜１０４で覆われた走査電極１０６と維持（共通）電極１０８とが対を成して平行に設置される。第２ガラス基板１１０上には、絶縁体層１１２で覆われた複数のアドレス電極１１４が設置される。アドレス電極１１４は、前記走査電極１０６及び共通電極１０８と直交するように配列される。アドレス電極１１４間にある絶縁体層１１２上には、アドレス電極１１４と平行に隔壁１１６が形成されている。また、絶縁体層１１２の表面及び隔壁１１６の両側面に蛍光体１１８が形成されている。第１ガラス基板１００及び第２ガラス基板１１０は、複数の走査電極１０６、共通電極１０８、アドレス電極１１４、及び隔壁１１６により形成される放電空間１２０を介在して対向して配置されている。アドレス電極１１４と、対をなす走査電極１０６と共通電極１０８との交差部のそれぞれに放電セル１２２が形成される。
【００１４】
図２は、本発明が適用されうるパネルの電極配列図である。電極はｍ×ｎのマトリックス構成をとる。列方向にはアドレス電極Ａ１〜Ａｋが配列されており、行方向にはｎ個の走査電極Ｙ１〜Ｙｎ及び共通電極Ｘ１〜Ｘｎが配列されている。図２でアドレス電極Ａ２、走査電極Ｙ２、及び共通電極Ｘ２が交差する位置に表示された１つの放電セルは、図１に示された放電セル１２２に対応する。表示されるべき放電セルはアドレス電極と走査電極とにより選択され、走査電極と共通電極とにより維持放電される。
【００１５】
図３は、本発明の望ましい一実施形態によるパネル駆動装置の概略的なブロック図である。パネル３１２に表示されるアナログ映像信号はデジタルデータに変換されてフレームメモリ３００に記録される。サブフィールド処理部３０２は、フレームメモリ３００に保存されたデジタルデータを必要に応じて分割して、サブフィールド単位に出力する。例えば、パネルで階調を表示するためにフレームメモリ３００に保存されたセルデータの１フレームを複数のサブフィールドに分割し、各サブフィールドのデータを出力する。
【００１６】
信号合成部３０６は、パネル３１２のセルを形成するアドレス電極、走査電極及び共通電極を駆動するために、リセット期間、アドレス期間及び維持期間で各電極に印加する信号波形を発生するリセットパルス発生器３０６ａ、書き込みパルス発生器３０６ｂ及び維持パルス発生器３０６ｃを具備する。リセット信号発生器３０６ａは、各セルの状態を初期化させるリセット信号を発生させ、書き込みパルス発生器３０６ｂは、ターンオンされるセルとそうでないセルとを選択してアドレスするアドレス信号を発生させ、維持パルス発生器３０６ｃは、アドレス信号によってアドレスされたセルを放電させる維持信号を発生させる。信号合成部３０６で発生した信号は、定められたタイミングによってパネル３１２の走査電極Ｙ駆動部３０８と共通電極Ｘ駆動部３１０とに印加される。
【００１７】
パネルの走査電極は、複数のグループに区分されており、走査電極駆動部３０８は各グループに属した走査電極を駆動するための複数の駆動回路３０８ａ、３０８ｂ、・・・、３０８ｈ）を具備する。グループの数は変更可能であり、走査電極を駆動するための駆動回路の数はグループの数によって決定される。一方、共通電極Ｘ駆動部３１０は、パネル３１２の共通電極を駆動する。タイミング制御部３０４は、サブフィールド処理部３０２及び信号合成部３０６の動作に必要な各種タイミング信号を発生する。
後述される本発明のパネル駆動方法は、図１乃至図３に示された構造と装置とで行われうる。
【００１８】
図４は、１つのフレームを複数のサブフィールドを利用して階調性を表現する方式を説明する図面である。１画像を形成する１つのフレーム期間は、複数のサブフィールドに分割されて、各サブフィールドには相異なる階調度が割当てられる。複数のサブフィールドのうち１つ以上のサブフィールドを選択的に動作させることによって、所望の階調度が達成できる。可視輝度の階調性は、１フレーム期間の間セルに印加された維持パルスの数に比例する。一画面に対応した１フレーム期間を複数のサブフィールドに時間的に分割し、各サブフィールドには、それぞれ相異なる維持パルスを割り当てた後、選択的にサブフィールドを動作させることによって、選択されたサブフィールドに割当てられた維持パルスの蓄積によって階調性が決定される。
【００１９】
図４を参照すれば、１画像を形成する１つのフレームは、２５６階調を達成するために通常的に８個のサブフィールドに分割され、各サブフィールドには順に１、２、４、８、１６、３２、６４、１２８の割合で相異なる維持パルスの数が割当てられ、また、前記比率にほぼ比例して各サブフィールドの維持期間が割当てられる。もし１７階調の輝度を得るためには、サブフィールド１期間及びサブフィールド５期間の間、セルをアドレスして維持放電すればよい。
【００２０】
各サブフィールドに割当てられる階調度は、ガンマ特性やパネル特性を考慮して多様に変形することが可能である。例えば、図４で、サブフィールド４に割当てられた階調度を８から６に下げ、サブフィールド６に割当てられた階調度を３２から３４に高められる。また、１フレームを形成するサブフィールドの数も設計仕様によって多様に変形可能である。
本発明による駆動方法を具現するためには、パネルを構成するセルは複数のグループに分割されて、各グループ別に動作が制御される。ＡＣ型ＰＤＰの場合、走査電極を一定方式によって複数のグループに区分する。図４を参照すれば、走査電極がｎ個のグループＧ１〜Ｇｎに区分された例が見られる。
【００２１】
図５は、本発明の基本概念であるアドレス／維持放電の混合方式によるパネル駆動方式の望ましい一実施形態を説明するための概略的な概念図である。１つのフレーム期間は、複数のサブフィールド、例えば図４のように８個のサブフィールドに分割され、各サブフィールドによって具現される階調度は相異なって割り当てる。図５は１サブフィールド内で、パネルのセルを複数のグループに区分し、各グループに属したセルをアドレスして維持放電するパネル駆動方法を表す。
【００２２】
パネルの走査電極を複数のグループＧ１〜Ｇｎに分けて、各グループに属した走査電極に対して順次にアドレス動作を行う。ある１つのグループに対してアドレス動作が行われた後、そのグループの走査電極には維持放電パルスが印加されて維持期間を設定する。もしある１つのグループの走査電極に対して維持期間をが設定される場合、既にアドレス動作が行われた他のグループの走査電極に対しても維持期間を選択的に設定させる。このように、ある１つのグループのセルに対してアドレス期間に次いで一定期間の維持期間が設定された後、まだアドレス動作が行われていない他のグループの走査電極に対してアドレス期間が設定される。ここで、１パネルを構成する走査電極を複数のグループに分けながら各グループに属する走査電極の数は、各グループ別に均等に分割されるか任意に異なって調整されうる。
【００２３】
図５で、１つのサブフィールドは、リセット期間Ｒ、書き込み／維持混合区間Ｔ１、共通維持区間Ｔ２及び輝度補正区間Ｔ３に区分して表示できる。図面で、点で表示されたブロックは、混合区間Ｔ１の書き込み（アドレス）期間、左側斜線で表示された区間は混合区間Ｔ１の維持期間、左側斜線及び右側斜線が共に表示された区間は共通区間Ｔ２の維持期間、右側斜線が表示された区間は補正区間Ｔ３の維持期間をそれぞれ示す。
【００２４】
リセット期間Ｒは、あらゆるグループの走査ラインに対してリセットパルスを印加してセルの壁電荷状態を初期化する。アドレス過程に入る前にリセット区間Ｒが設定され、これは全画面にかけて行うので、かなり均等でありながら、所望の分布の壁電荷配置が作れる。各サブフィールドの書き込み／維持混合区間Ｔ１の前に設定される１回のリセット区間Ｒによって、全てのセル内部の壁電荷条件が何れも類似に形成される。
【００２５】
書き込み／維持混合区間Ｔ１に対して説明する。第１グループＧ１で第１走査電極Ｙ１１から最後の走査ラインＹ１ｍまで順に走査パルスを印加してアドレス期間ＡＧ１を設定する。第１グループのセルに対するアドレス動作が全て完了すれば、これらアドレスされたセルを一定数の維持パルスによって維持放電させる維持期間Ｓ１１を設定する。
【００２６】
第１グループの第１維持期間Ｓ１１が終了すれば、第２グループのセルに対するアドレス期間ＡＧ２が設定される。第２グループのアドレス期間ＡＧ２間には、他のグループのセルに対しては別途の動作パルスが印加されないことが望ましい。しかし、第２グループのアドレス期間ＡＧ２内で、一走査電極に走査パルスが印加された後、その後の走査電極に走査パルスが印加される前の時間の間、他のグループの電極に維持パルスを印加可能であり、これは他のグループのアドレス期間の場合にも同様に適用可能である。
【００２７】
第２グループのアドレス期間ＡＧ２が終了すれば、すなわち第２グループに属した走査電極に対するアドレス動作が全て完了すれば、第２グループに対する第１維持期間Ｓ２１が設定される。この時、既にアドレス期間が設定された第１グループでも第２維持期間Ｓ１２が設定される。しかし、もし第１グループの第１維持期間Ｓ１１によって階調度が満足されれば、第１グループの第２維持期間Ｓ１２は設定されない場合もある。もちろん、まだアドレス期間が設定されていないセルは休止状態を維持する。
【００２８】
第２グループの第１維持期間Ｓ２１が終了すると、第３グループに対して前述したような方式でアドレス期間ＳＧ３及び第１維持期間Ｓ３１が設定され、第３グループの第１維持期間Ｓ３１が設定される間、既にアドレス期間が設定された第１、第２グループのセルに対しても維持期間Ｓ１３、Ｓ２２が設定されうる。しかし、もし第１、第２グループの第１維持期間Ｓ１１、Ｓ２１によって階調度が満足されれば、追加的な維持期間Ｓ１３、Ｓ２２は設定されない場合もある。
【００２９】
前記のような過程を経て、最後のグループＧｎに属した走査電極に対して順に走査パルスを印加してアドレス期間ＡＧｎを設定した後、維持期間Ｓｎ１を設定する。維持期間Ｓｎ１が設定される間には、他のグループのセルに対しても維持期間が設定される。
【００３０】
図５では、ある１つのグループのセルに対して維持期間を設定する間には、その以前にアドレス期間が設定されたグループのセルに対しても全て維持期間を設定する例を示している。もし、単位維持期間の間、印加される維持パルスの数が同一であって、これにより発現される輝度が同一であると仮定すれば、第ｎグループのセルに比べて、第１グループのセルはｎ倍の輝度を表す。同様に、第ｎグループのセルに比べて、第２グループのセルはｎ−１倍の輝度を表し、第Ｇｎー１グループのセルは２倍の輝度を表す。かかるグループ別輝度差を均等に補正するために所定の追加的な維持期間が必要であり、このためのものが図５に示された輝度補正区間Ｔ２である。
【００３１】
輝度補正区間Ｔ３は、各グループ別セルの階調度が相互均等に補正されるように、各グループ別に選択的に設定される維持放電区間である。
共通維持区間Ｔ２は、あらゆるセルに対して一定期間の間、一斉に共通的に維持パルスを印加する期間であり、混合区間Ｔ１、または混合区間Ｔ１及び補正区間Ｔ２によって各サブフィールドに割当てられた階調度仕様が満足されない場合に選択的に設定されうる。共通維持区間Ｔ２は、図５に示されたように、混合区間Ｔ１後に設定される場合もあり、輝度補正区間Ｔ３後に設定される場合もある。
【００３２】
ここで、共通維持区間Ｔ２及び輝度補正区間Ｔ３は、サブフィールドによって適用される場合もあれば、そうでない場合もある。これはサブフィールドに割当てられた階調度の仕様によってその適用如何が決定される。自分に割当てられた階調度が低いサブフィールドである場合、その階調度を具現するための維持期間が相対的に短く、割当てられた階調度が高いサブフィールドである場合、必要な維持期間が相対的に長くならねばならない。したがって、割当てられた階調度の低いサブフィールドは書き込み／維持混合区間Ｔ１のみで構成でき、割当てられた階調度の高いサブフィールドは書き込み／維持混合区間Ｔ１、共通維持区間Ｔ２及び輝度補正区間Ｔ３を共に含んで構成されうる。一方、中間程度の階調度が割当てられたサブフィールドは、共通維持区間Ｔ２なしに書き込み／維持混合区間Ｔ１及び輝度補正区間Ｔ３ででも構成されうる。
【００３３】
図５に示された例は、サブフィールドに割当てられた階調度が高い場合の実施形態であって、混合区間Ｔ１で各グループ別に維持期間の長さが異なって設定されたので、全てのセルが有する輝度を同一にするために各グループ別に追加の維持期間を設定する。例えば、第１グループＧ１のセルの輝度は、混合区間Ｔ１の間に設定された維持期間Ｓ１１、Ｓ１２、・・・、Ｓ１ｎと共通維持期間Ｔ２の和によって決定され、第１グループのセルは、補正区間Ｔ３が始まる時点で最も高い輝度を有する。他のグループのセルも第１グループのセルが有する輝度を有させるために、第２グループＧ２のセルに対しては、追加の維持期間Ｓ２ｎ（この期間は実質的に第１グループの第１維持期間のＳ１１に対応するものである）が設定されねばならず、第３グループＧ３のセルに対しては、第１グループの第１、第２維持期間Ｓ１１、Ｓ１２に対応する追加の維持期間Ｓ３、ｎ−１、Ｓ３、ｎ）を設定されねばならない。かかる方式で最後のグループＧｎのセルに対しても追加の維持期間Ｓｎ２、Ｓｎ３、・・・、Ｓｎ、ｎ）を設定されねばならない。それにより、パネルのあらゆるセルが同じ輝度を表せる。
【００３４】
前述したように、あらゆるセルに対する維持期間が終了すれば、１つのサブフィールドの動作が完了し、次につながるサブフィールドのリセット期間がさらに始まる。
一方、図５でリセット区間Ｒ及び書き込み／維持混合区間Ｔ１にのみ注目し、維持放電区間を代表文字Ｓと表記すれば、Ｒ→ＡＧ１→Ｓ→ＡＧ２→Ｓ→ＡＧ３→Ｓ→・・・→Ｓ→ＡＧｎ→Ｓのように進められて、一回のリセット区間Ｒ後に各グループのアドレス区間ＡＧ１、ＡＧ２、ＡＧ３、・・・、ＡＧｎが順次に設定される。このようになれば、リセット区間Ｒで遠ざかるほど、すなわちＡＧｎ側に行くほどアドレス動作にエラーが発生する確率が高くなる。これはアドレス過程に入る前に一斉に行われたリセット区間Ｒによって、あらゆるセル内部の壁電荷条件が何れも類似に形成されるが、アドレス動作及び維持放電動作が交互に行われる間、まだアドレスされていないグループの壁電荷状態が劣化されることに起因する。
【００３５】
図６は、図５に示された混合方式のパネル駆動方法をＡＣ型ＰＤＰに適用した望ましい一実施形態であって、説明の便宜上、走査電極を２つのグループＧ１、Ｇ２に分けて、各グループ別アドレス区間で相異なるバイアス電圧Ｖｅ１、Ｖｅ２が共通電極に印加される場合を説明するためのタイミング図である。
まず、リセット区間Ｒでは、共通電極Ｘと走査電極Ｙとに交互にリセットパルスを印加して、維持／放電を消去し、アドレス放電条件を形成する。
【００３６】
次に、第１グループＧ１のアドレス区間ＡＧ１が設定される。この時、ＡＧ１は、共通電極Ｘにバイアス電圧Ｖｅ１が印加され、第１グループ内の表示されるべきセルを形成する走査電極Ｙ１１〜Ｙ１ｍとアドレス電極Ａ１〜Ａｋとを同時にターンオンにすることによって、表示セルを選択する。第１グループのアドレス区間ＡＧ１が設定された後で、共通電極と走査電極とに維持パルスＶｓが交互に印加されて、第１グループＧ１の維持／放電Ｓ１１が行われる。第１グループＧ１の維持／放電Ｓ１１が行われた後で、第２グループＧ２のアドレス区間ＡＧ２が設定される。第２グループＧ２にｍ個の走査電極Ｙ２１〜Ｙ２ｍが属した場合が示されている。ＡＧ２が設定された後で、共通電極と走査電極とに維持パルスが交互に印加されて、第１グループＧ１と第２グループＧ２の維持／放電Ｓ１２、Ｓ２１が行われる。この時、ＡＧ２は、共通電極Ｘにバイアス電圧Ｖｅ２が印加され、第２グループ内の表示されるべきセルを形成する走査電極Ｙ２１〜Ｙ２ｍとアドレス電極とを同時にターンオンにすることによって、表示セルを選択する。ここで、注目することは、第１グループのアドレス区間ＡＧ１及び第２グループのアドレス区間ＡＧ２に、共通電極Ｘに印加されるバイアス電圧Ｖｅ１、Ｖｅ２である。Ｖｅ１とＶｅ２とは同じである場合があれば、異なる場合もある。リセット区間Ｒにより、アドレスのために全画面に同時に形成された壁電荷状態は、第１グループアドレス時ＡＧ１と第２グループアドレス時ＡＧ２とが異なり、特に、ＡＧ２でより壁電荷マージンが落ちる。したがって、同じバイアス電圧、すなわちＶｅ１＝Ｖｅ２によれば、ＡＧ１よりＡＧ２でアドレスエラーが発生する確率が高まる。これは、アドレスグループ別にバイアス電圧を異なって印加することによって、すなわちＶｅ１＜Ｖｅ２にすることによって、解決できる。
【００３７】
パネル下端部Ｇ２でアドレスエラーが発生する確率がさらに高まることは、リセット区間ＰＲで形成されたアドレス放電のためのプラズマのプライミング効果が、経時的に減少するためである。したがって、アドレス区間ＰＡの後半部、すなわちパネル下端部に行くほどアドレスに不利な条件が形成され、パネル後半部で低放電がおきる確率が高まる。
また、アドレスデータのハイレベル電位と走査パルスのローレベル電位との差によって放電セルがアドレスされる。したがって、アドレスデータのハイレベル電位と走査パルスのローレベル電位との差を大きくすれば、リセット放電により生成されたプライミング粒子の密度が経時的に減少することを補償する効果がある。
【００３８】
図６を参照すれば、かかる補償効果はＡＧ１でのアドレス電圧Ｖａ１よりＡＧ２でのアドレス電圧Ｖａ２を大きくすることによって獲得されうる。
また、図６を参照すれば、かかる補償効果は、ＡＧ１での走査パルスのローレベル電位ＶＳＣ＿Ｌ１よりＡＧ２での走査パルスのローレベル電位ＶＳＣ＿Ｌ２を低くすることによって獲得されうる。
【００３９】
図７Ａ及び図７Ｂは、図５に示された混合方式のパネル駆動方法をＡＣ型ＰＤＰに適用した望ましい他の実施形態であって、各グループがそれぞれ別個の共通電極Ｘ１、Ｘ２により駆動される。
図７Ａは、各共通電極Ｘ１、Ｘ２にアドレスのために印加されるバイアス電圧Ｖｅ１、Ｖｅ２が各グループ別アドレス区間で相異なる場合（Ｖｅ１＜Ｖｅ２）のタイミング図である。
図７Ａを参照すれば、まず、リセット区間Ｒでは、第１、２共通電極Ｘ１、Ｘ２と走査電極グループＧ１、Ｇ２とに交互にリセットパルスを印加し、維持／放電を消去し、アドレス放電のための壁電荷条件を形成する。
【００４０】
次に、第１グループＧ１のアドレス区間ＡＧ１が設定される。この時、ＡＧ１は、各共通電極Ｘ１、Ｘ２にバイアス電圧Ｖｅ１が印加され、第１グループＧ１内の表示されるべきセルを形成する走査電極Ｙ１１〜Ｙ１ｍとアドレス電極Ａ１〜 ｋとを同時にターンオンすることによって、表示セルを選択する。第１グループのアドレス区間ＡＧ１が設定された後で、共通電極と走査電極とに維持パルスＶｓが交互に印加されて、第１グループＧ１の維持／放電Ｓ１１が行われる。第１グループＧ１の維持／放電Ｓ１１が行われた後で、第２グループＧ２のアドレス区間ＡＧ２が設定される。第２グループＧ２にｍ個の走査電極Ｙ２１〜Ｙ２ｍが属した場合が示されている。ＡＧ２が設定された後で、共通電極と走査電極とに維持パルスが交互に印加されて、第１グループＧ１及び第２グループＧ２の維持／放電Ｓ１２、Ｓ２１が行われる。この時、ＡＧ２は、各共通電極Ｘ１、Ｘ２にバイアス電圧Ｖｅ２が印加され、第２グループ内の表示されるべきセルを形成する走査電極Ｙ１１〜Ｙ１ｍとアドレス電極Ａ１〜Ａｋとを同時にターンオンにすることによって、表示セルを選択する。ここで注目することは、第１グループのアドレス区間ＡＧ１と第２グループのアドレス区間ＡＧ２とでの、共通電極Ｘ１、Ｘ２に印加されるバイアス電圧Ｖｅ１、Ｖｅ２である。Ｖｅ１及びＶｅ２は同じである場合があれば、異なる場合もある。リセット区間Ｒにより、アドレスのために全画面に同時に形成された壁電荷状態は、第１グループアドレス時ＡＧ１と第２グループアドレス時ＡＧ２とで異なって、特に、ＡＧ２でさらに壁電荷マージンが落ちる。したがって、同じバイアス電圧、すなわちＶｅ１＝Ｖｅ２によれば、ＡＧ１よりＡＧ２でアドレスエラーが発生する確率が高まる。これは、アドレスグループ別にバイアス電圧を異なって印加することによって、すなわちＶｅ１＜Ｖｅ２にすることによって、解決できる。Ｖｅ１＜Ｖｅ２にすれば、落ちた壁電荷マージンが補完できる。
【００４１】
図７Ｂは、実際にアドレスされるグループの共通電極にのみバイアス電圧が印加される場合を説明するためのタイミング図である。図７Ｂのように、第１グループのアドレス区間ＡＧ１では、第１共通電極ＸＧ１にのみバイアス電圧Ｖｅ１が印加され、第２グループのアドレス区間ＡＧ２では、第２共通電極ＸＧ２にのみバイアス電圧Ｖｅ２が印加されるように具現される場合もある。
【００４２】
図６と同様に、図７Ａ及び図７Ｂの実施形態でも、パネル下端部Ｇ２でリセット放電により生成されたプライミング粒子の密度が経時的に減少することを補償する必要がある。かかる補償効果は、ＡＧ１でのアドレス電圧Ｖａ１よりＡＧ２でのアドレス電圧Ｖａ２を高くすることによって獲得されうる。また、かかる補償効果はＡＧ１での走査パルスのローレベル電位ＶＳＣ＿Ｌ１より、ＡＧ２での走査パルスのローレベル電位ＶＳＣ＿Ｌ２を低くすることによって獲得されうる。
【００４３】
図８は、図５に示された混合方式のパネル駆動方法をＡＣ型ＰＤＰに適用した望ましいさらに他の実施形態であって、各グループがそれぞれ別個の共通電極により駆動され、各共通電極にアドレスのために印加されるバイアス電圧が各共通電極別に相異なる場合を説明するためのタイミング図である。
まず、リセット区間Ｒでは、第１、２共通電極Ｘ１、Ｘ２と走査電極グループＧ１、Ｇ２とに交互にリセットパルスを印加して、維持／放電を消去し、アドレス放電のための壁電荷条件を形成する。
【００４４】
次に、第１グループＧ１のアドレス区間ＡＧ１が設定される。この時、ＡＧ１では、第１共通電極ＸＧ１に第１バイアス電圧Ｖｅ１が印加され、第２共通電極ＸＧ２に第２バイアス電圧Ｖｅ２が印加され、第１グループＧ１内の表示されるべきセルを形成する走査電極Ｙ１１〜Ｙ１ｍとアドレス電極とを同時にターンオンすることによって、表示セルを選択する。第１グループのアドレス区間ＡＧ１が設定された後で、共通電極と走査電極とに維持パルスＶｓが交互に印加されて、第１グループＧ１の維持／放電Ｓ１１が行われる。第１グループＧ１の維持／放電Ｓ１１が行われた後で、第２グループＧ２のアドレス区間ＡＧ２が設定される。ＡＧ２が設定された後で、共通電極と走査電極とに維持パルスが交互に印加されて、第１グループＧ１と第２グループＧ２の維持／放電Ｓ１２、Ｓ２１が行われる。この時、ＡＧ２でも、第１共通電極ＸＧ１に第１バイアス電圧Ｖｅ１が印加され、第２共通電極ＸＧ２に第２バイアス電圧Ｖｅ２が印加され、第１グループＧ１内の表示されるべきセルを形成する走査電極Ｙ２１〜Ｙ２ｍとアドレス電極とを同時にターンオンすることによって、表示セルを選択する。ここで注目することは、アドレス区間ＡＧ１、ＡＧ２に関係なく、共通電極Ｘ１、Ｘ２別に印加されるバイアス電圧Ｖｅ１、Ｖｅ２を異ならせることである。Ｖｅ１とＶｅ２とは同じである場合もあれば、異なる場合もある。リセット区間Ｒにより、アドレスのために全画面に同時に形成された壁電荷状態は、第１グループアドレス時ＡＧ１と第２グループアドレス時ＡＧ２とで異なり、特に、ＡＧ２でさらに壁電荷マージンが落ちる。したがって、同じバイアス電圧、すなわちＶｅ１＝Ｖｅ２によれば、ＡＧ１よりＡＧ２でアドレスエラーが発生する確率が高まる。これは、アドレスグループ別にバイアス電圧を異なって印加することによって、すなわち、Ｖｅ１＜Ｖｅ２にすることによって、解決できる。Ｖｅ１＜Ｖｅ２にすれば、落ちた壁電荷マージンが補完できる。
【００４５】
図６でのように、図８の実施形態でも、パネル下端部Ｇ２でリセット放電により生成されたプライミング粒子の密度が経時的に減少することを補償する必要がある。かかる補償効果は、ＡＧ１でのアドレス電圧Ｖａ１よりＡＧ２でのアドレス電圧Ｖａ２を高くすることで獲得できる。また、かかる補償効果は、ＡＧ１での走査パルスのローレベル電位ＶＳＣ＿Ｌ１よりＡＧ２での走査パルスのローレベル電位ＶＳＣ＿Ｌ２を低くすることによって獲得できる。
図６ないし図８に示された実施形態は、その具現方法には差があるが、アドレスのために共通電極に印加されるバイアス電圧を各グループ別に異ならせることによって、各グループ別アドレス時の壁電荷マージンの偏差を補完する。
【００４６】
図６ないし図８に示された実施形態では、維持期間の間、３対の維持パルスが印加されると示されているが、これは便宜上、示されたものにすぎない。実際には、アドレスされたセルを実質的に維持放電させうる程度の維持パルスが印加されることが望ましい。例えば、２５６階調を具現しようとする場合、少なくとも１階調を表すために必要な数の維持パルスを１つの維持期間に印加させることが望ましい。
【００４７】
図６ないし図８に示された実施形態では、第１グループのアドレス期間と維持期間とが終了すれば、次に第２グループに対するアドレス期間と維持期間とが設定され、第２グループの維持期間が設定される間に第１グループでも維持期間が設定される。この時、第１グループのアドレス期間の次に設定される維持期間Ｓ１１と、第２グループのアドレス期間の次に設定される維持期間Ｓ１２、Ｓ２１はその時間の長さや維持パルスの数が必ず同一である必要はなく、必要に応じて異なって設計できる。
【００４８】
また、図３に戻り、前述したようなパネル駆動方法が具現された装置の構成及び動作を説明する。図３を参照すれば、本発明に駆動方式によるアドレス動作と維持動作とが、信号合成部３０６、走査電極Ｙ駆動部３０８、及び共通電極Ｘ駆動部３１０によってパネル３１２のセルに対して行われる。
【００４９】
本発明によるパネル駆動装置は、パネル３１２のセルを複数のグループに区分し、各グループに属したセルをアドレスして維持放電し、信号合成部３０６は各グループに属したセルに対してアドレス期間と維持期間とを順次に設定するものの、ある１つのグループのセルに対してアドレス期間を設定する間、他のグループのセルは休止状態にあり、ある１つのグループのセルに対してアドレス期間を設定した後、維持期間を設定する間には既に以前にアドレス期間が設定された他のグループのセルに対しても選択的に維持期間を設定するようにアドレス信号及び維持信号を発生する。
【００５０】
走査電極Ｙ駆動部３０８は、前記アドレス信号に応答して、グループ別走査電極に走査パルスを印加（この時、アドレス電極としてはアドレスパルスが印加される）してアドレス期間を設定する。この時、共通電極Ｘの駆動部は、前記アドレス信号に応答して、各グループが順次にアドレスされる間、各アドレスグループ別に他のバイアス電圧を印加して、壁電荷のマージン低下を補完する。各グループ別にアドレスが設定された後で、走査電極Ｙの駆動部３０８と共通電極Ｘの駆動部３１０とは、前記維持信号に応答して、各グループのセルで交互に維持パルスを印加して維持期間を設定する。
【００５１】
信号合成部３０６は、各サブフィールドに割当てられた階調度によって、あらゆるグループに属したセルに対するアドレス期間を全て設定した後で、あらゆるグループに属したセルに対して一定期間の間、共通的に維持期間を設定するための維持信号をさらに発生して共通維持区間が設定できる。また、各グループのセルが所定の階調度を満足するように、各グループのセルに対して選択的に追加の維持期間を設定するための維持信号をさらに発生して、輝度補正区間が設定できる。
【００５２】
本発明は、パネルの電極を駆動する方式において、ターンオンしようとするセルをあらかじめ選択するアドレス期間と、その選択されたセルを発光させる維持期間とを順次に設定する表示装置には何れも適用可能である。例えば、ＡＣ型ＰＤＰだけでなく、ＤＣ（Ｄｉｒｅｃｔ Ｃｕｒｒｅｎｔ）型ＰＤＰと共に、ＥＬ（Ｅｌｅｃｔｒｏｌｕｍｉｎｅｓｃｅｎｃｅ）表示装置、または液晶装置のように空間電荷によってアドレス期間と維持期間とを順次に設定して画面を表示する装置にも、本発明の技術的思想がそのまま適用できることは当業者に自明なことである。
【００５３】
また、本発明は、コンピュータで読み取り可能な書き込み媒体に、コンピュータが読み取り可能なコードで具現することが可能である。コンピュータが読み取り可能な書き込み媒体は、コンピュータシステムによって読み取り可能なプログラムやデータが保存される全種の記録装置を含む。コンピュータが読み取り可能な書き込み媒体の例としては、ＲＯＭ、ＲＡＭ、ＣＤ−ＲＯＭ、磁気テープ、ハードディスク、フロッピー（登録商標）ディスク、フラッシュメモリ、光データ保存装置などがある。ここで、書き込み媒体に保存されるプログラムとは、特定な結果を得るためにコンピュータなどの情報処理能力を有する装置内で直接または間接で使われる一連の指示命令で表現されたものをいう。したがって、コンピュータという用語も実際使われる名称の如何にも拘わらず、メモリ、入出力装置、演算装置を具備してプログラムによって特定機能を行うための情報処理能力を有したあらゆる装置を総括する意味で使われる。パネルを駆動した装置の場合にも、その用途がパネル駆動という特定分野に限定されただけであり、その実体においては、一種のコンピュータといえる。
【００５４】
前述したように、パネル駆動装置に含まれる信号合成部３０６は、その内部にメモリとプロセッサとを含む集積回路で構成されて、パネルを駆動させるための方法が具現されたプログラムをメモリに保存できる。パネル駆動時には、メモリに保存されたプログラムを実行して本発明によるアドレス及び維持動作が行える。したがって、このようにパネル駆動方法を実行するプログラムが保存された集積回路は、前記の書き込み媒体の一種と解釈されねばならない。
【００５５】
特に、パネルを駆動させるための方法は、コンピュータ上でスケマティックまたは超高速集積回路ハードウェア技術言語（ＶＨＤＬ：Ｖｅｒｙ Ｈｉｇｈ Ｓｐｅｅｄ Ｉｎｔｅｇｒａｔｅｄ Ｃｉｒｃｕｉｔ Ｈａｒｄｗａｒｅ Ｄｅｓｃｒｉｐｔｉｖｅ Ｌａｎｇｕａｇｅ）などにより作成され、コンピュータに連結されてプログラム可能な集積回路、例えばＦＰＧＡ（Ｆｉｅｌｄ Ｐｒｏｇｒａｍｍａｂｌｅ Ｇａｔｅ Ａｒｒａｙ）により具現されうる。前記書き込み媒体は、かかるプログラム可能な集積回路を含む。
【００５６】
以上、図面と明細書で最適実施形態が開示された。ここで特定の用語が使われたが、これは、ただ本発明を説明するための目的で使われたものであり、意味限定や特許請求の範囲に記載された本発明の範囲を制限するために使われたものではない。したがって、本技術分野の当業者であれば、これより多様な変形及び均等な他の実施形態が可能である点が理解できる。したがって、本発明の真の技術的保護範囲は、特許請求の範囲の技術的思想により定められねばならない。
【００５７】
本発明は、以上で説明されて図面に表現された例示に限定されるものではない。前述した実施形態により当業者であれば、特許請求の範囲に記載された本発明の範囲及び目的内で置換、消去、併合などによって前述した実施形態に対して多くの変形が可能である。
【産業上の利用可能性】
【００５８】
本発明は、ＰＤＰ駆動方法及びその装置に関わり、階調性を具現するにおいて、アドレス期間と維持機関間の時間的なギャップを最小化して円滑な維持放電が起こせることによって、画面の輝度が向上でき、より多くの走査ラインの大きいパネルに対しても高階調の装置が具現できるパネル駆動方法及びその装置を提供するので、ＰＤＰに効果的に適用可能である。
【図面の簡単な説明】
【００５９】
【図１】本発明が適用されうるＡＣ型ＰＤＰの一部斜視図である。
【図２】本発明が適用されうるパネルの電極配列図である。
【図３】本発明によるパネル駆動装置の実施形態を示した図である。
【図４】１つのフレームを複数のサブフィールドを利用して階調性を表現する方式を説明する図である。
【図５】本発明の望ましい一実施形態によるアドレス／維持放電の混合方式によるパネル駆動方法の概略的な概念図である。
【図６】図５に示された混合方式のパネル駆動方法をＡＣ型のＰＤＰに適用した、望ましい一実施形態であって、各グループ別アドレス区間で相異なるバイアス電圧が共通電極に印加される場合を説明するためのタイミング図である。
【図７Ａ】図５に示された混合方式のパネル駆動方法をＡＣ型のＰＤＰに適用した、望ましい他の実施形態であって、各グループがそれぞれ別個の共通電極により駆動される場合を説明するためのタイミング図である。
【図７Ｂ】図５に示された混合方式のパネル駆動方法をＡＣ型のＰＤＰに適用した、望ましい他の実施形態であって、各グループがそれぞれ別個の共通電極により駆動され、実際にアドレスされるグループの共通電極にのみバイアス電圧が印加される場合を説明するためのタイミング図である。
【図８】図５に示された混合方式のパネル駆動方法をＡＣ型のＰＤＰに適用した、望ましいさらに他の実施形態であって、各グループがそれぞれ別個の共通電極により駆動され、各共通電極別に相異なるバイアス電圧が印加される場合を説明するためのタイミング図である。
【符号の説明】
【００６０】
Ｘ１・・・ｎ…共通電極
Ｇ１，Ｇ２…グループ
Ｙ１１，Ｙ１２，Ｙ１ｍ，Ｙ２１，Ｙ２２，Ｙ２ｍ…走査電極
Ｖｅ１，Ｖｅ２…バイアス電圧
Ｖａ１，Ｖａ２…アドレス電圧
ＡＧ１，ＡＧ２…アドレス期間
Ｖｓ…維持パルス
Ｓ１１，Ｓ１２…維持期間
ＶＳＣ＿Ｌ１，ＶＳＣ＿Ｌ２…ローレベル電位
Ｓ２１…第１維持期間
【図１】
2005062863.tif 000003
【図２】
2005062863.tif 000004
【図３】
2005062863.tif 000005
【図４】
2005062863.tif 000006
【図５】
2005062863.tif 000007
【図６】
2005062863.tif 000008
【図７Ａ】
2005062863.tif 000009
【図７Ｂ】
2005062863.tif 000010
【図８】
2005062863.tif 000011